(57)【特許請求の範囲】
【請求項１】
平面型の表示パネルと、前記表示パネルを収容する外装ケースとを備える表示装置を収容する梱包箱と、
前記梱包箱内に前記表示装置とともに収容された状態において、前記表示装置と前記梱包箱との間に介在して前記表示パネルの面方向に平行するように配置される支持部材と、
前記梱包箱内に前記表示装置および前記支持部材とともに収容された状態において、前記表示装置および前記梱包箱が配置される方向において前記表示装置および前記支持部材の左右方向の中央を挟み込むように支持する中央緩衝材と
を備え、
前記支持部材は、この支持部材に対する前記中央緩衝材の前記左右方向の位置決めをするための第１係合部を有し、
前記中央緩衝材は、前記第１係合部に係合する第２係合部を有する
表示装置の梱包構造。
【請求項２】
前記支持部材は、前記支持部材における前記表示パネルが配置される側の面を第１の面としたとき、この第１の面とは反対側の第２の面から前記表示パネルとは反対側に延びる突起部を有し、
前記突起部は、前記中央緩衝材と前記左右方向に同じ位置において、前記左右方向に間隔を置いて複数配置され、
前記左右方向に隣り合う前記突起部は、これら突起部間に形成される空隙が前記第１係合部としての係合凹部を構成するように形成され、
前記第２係合部は、前記突起部間に形成される空隙に嵌まり込む係合凸部を有する
請求項１に記載の表示装置の梱包構造。
【請求項３】
前記突起部の先端面は、前記梱包箱の内面と接触可能である
請求項２に記載の表示装置の梱包構造。
【請求項４】
前記支持部材は、第１の支持部材と第２の支持部材とに分割され、
前記第１の支持部材および前記第２の支持部材は、前記左右方向に沿って並べられ、
前記第１の支持部材における前記第２の支持部材側の部分、および、前記第２の支持部材における前記第１の支持部材側の部分のそれぞれに前記突起部が位置することにより前記係合凹部が構成される
請求項２または３に記載の表示装置の梱包構造。
【請求項５】
前記係合凸部は、前記第１の支持部材と前記第２の支持部材との境界部分を前記左右方向に跨っている
請求項４に記載の表示装置の梱包構造。
【請求項６】
前記突起部は、前記左右方向に沿って延びる水平部を有し、
前記中央緩衝材は、前記上下方向において前記水平部に対して接触可能に支持される
請求項２〜５のいずれか一項に記載の表示装置の梱包構造。
【請求項７】
前記突起部は、前記水平部の前記左右方向の端部から前記上下方向に沿って延びる垂直部と、前記垂直部と前記水平部とを連結する案内部とを有し、
前記案内部は、前記係合凸部を前記垂直部側に案内する
請求項６に記載の表示装置の梱包構造。
【請求項８】
前記中央緩衝材は、前記支持部材および前記表示装置の上下方向の端部を支持する支持部を備える
請求項１〜７のいずれか一項に記載の表示装置の梱包構造。
【請求項９】
前記中央緩衝材の左側に前記左右方向に間隔を置いて配置され、前記支持部材の左端部および前記表示装置の左端部を支持する左端緩衝材と、前記中央緩衝材の右側に前記左右方向に間隔を置いて配置され、前記支持部材の右端部および前記表示装置の右端部を支持する右端緩衝材とをさらに備える
請求項１〜８のいずれか一項に記載の表示装置の梱包構造。
【請求項１０】
前記左端緩衝材は、前記支持部材の下側の部分および前記表示装置の下端部を支持する下側の左端緩衝材と、前記支持部材の上側の部分および前記表示装置の上端部を支持する上側の左端緩衝材とを有し、
前記右端緩衝材は、前記支持部材の下側の部分および前記表示装置の下端部を支持する下側の右端緩衝材と、前記支持部材の上側の部分および前記表示装置の上端部を支持する上側の右端緩衝材とを有し、
前記中央緩衝材は、前記支持部材の下側の部分および前記表示装置の下端部を支持する下側の中央緩衝材と、前記支持部材の上側の部分および前記表示装置の上端部を支持する上側の中央緩衝材とを有する
請求項９に記載の表示装置の梱包構造。
【発明の詳細な説明】
【技術分野】
【０００１】
本発明は表示装置の梱包構造に関する。
【背景技術】
【０００２】
表示装置は、平面型の薄型表示装置が一般家庭や業務用として広く知られている。近年、表示装置は、薄型化が図られるとともに、表示パネルを覆う外装ケースの額縁が狭いデザインが採用されている。このため、表示装置として表示パネルを保持する機械的な強度が低下し、輸送時に受ける機械的衝撃により表示パネルが外装ケースから外れるおそれがある。
【０００３】
このような問題を解決するため、特許文献１の表示装置の梱包構造では、表示装置を収容する梱包箱に表示装置の下端部を支持する３個の緩衝材が表示装置とともに収容される。３個の緩衝材は、梱包箱内において左右方向に離間して配置されている。３個の緩衝材のうちの左右方向の中央に配置される中央緩衝材は、表示装置の自重による下側への撓みを抑制するように支持している。
【先行技術文献】
【特許文献】
【０００４】
【特許文献１】国際公開第２０１３／７３１７１号公報
【発明の概要】
【発明が解決しようとする課題】
【０００５】
ところで、特許文献１の表示装置の梱包構造では、梱包箱に機械的衝撃が加えられたとき、中央緩衝材の両側に配置された端部緩衝材と中央緩衝材との左右方向に空間があるため、中央緩衝材が梱包箱および表示装置に対して左右方向に移動してしまう。
【０００６】
このような問題に対して、端部緩衝材と中央緩衝材との間の空間をなくすため、中央緩衝材の左右方向の寸法または端部緩衝材の左右方向の寸法を大きくすることにより中央緩衝材の左右方向への移動を制限することが考えられる。しかし、中央緩衝材の左右方向の寸法または端部緩衝材の左右方向の寸法を大きくする場合、中央緩衝材または端部緩衝材を成形するための材料が多くなり、コストアップしてしまう。
【０００７】
本発明の目的は、コストアップを抑制しつつ、中央緩衝材の左右方向への移動を制限することができる表示装置の梱包装置を提供することである。
【課題を解決するための手段】
【０００８】
本発明に従う表示装置の梱包構造の一形態は、平面型の表示パネルと、前記表示パネルを収容する外装ケースとを備える表示装置を収容する梱包箱と、前記梱包箱内に前記表示装置とともに収容された状態において、前記表示装置と前記梱包箱との間に介在して前記表示パネルの面方向に平行するように配置される支持部材と、前記梱包箱内に前記表示装置および前記支持部材とともに収容された状態において、前記表示装置および前記梱包箱が配置される方向において前記表示装置および前記支持部材の左右方向の中央を挟み込むように支持する中央緩衝材とを備え、前記支持部材は、この支持部材に対する前記中央緩衝材の前記左右方向の位置決めをするための第１係合部を有し、前記中央緩衝材は、前記第１係合部に係合する第２係合部を有する。
【発明の効果】
【０００９】
上記表示装置の梱包構造は、コストアップを抑制しつつ、中央緩衝材の左右方向への移動を制限することができる。
【図面の簡単な説明】
【００１０】
【図１】一実施形態に係る表示装置の梱包構造について、表示装置の前面側の斜視図。
【図２】同表示装置の梱包構造について、表示装置の背面側の斜視図。
【図３】同表示装置の梱包構造の分解斜視図。
【図４】同表示装置の梱包構造の第１の支持部材の正面図。
【図５】図４の第１の支持部材の背面構造を示す斜視図。
【図６】同表示装置の梱包構造について、支持部材の正面図。
【図７】同表示装置の梱包構造について、支持部材の下側の一部と、下側の左端緩衝材、中央緩衝材、および、右端緩衝材との分解斜視図。
【図８】同表示装置の梱包構造について、支持部材の上側の一部と、上側の左端緩衝材、中央緩衝材、および、右端緩衝材との分解斜視図。
【図９】同表示装置の梱包構造について、各緩衝材および支持部材に表示装置が取り付けられた状態の正面図。
【図１０】同表示装置の梱包構造について、各緩衝材および支持部材に表示装置が取り付けられた状態の背面図。
【図１１】同表示装置の梱包構造について、表示装置、各緩衝材、および、支持部材が梱包箱に収容された状態の図９の１１−１１線の断面図。
【図１２】変形例の表示装置の梱包構造について、支持部材の上側の係合凹部と上側の中央緩衝材の係合凸部のとの関係を示す正面図。
【図１３】別の変形例の表示装置の梱包構造について、支持部材の上側の係合凹部と上側の中央緩衝材の係合凸部のとの関係を示す正面図。
【図１４】さらに別の変形例の表示装置の梱包構造について、支持部材の上側の係合凹部と上側の中央緩衝材の係合凸部のとの関係を示す正面図。
【図１５】さらに別の変形例の表示装置の梱包構造について、支持部材の上側の係合凹部と上側の中央緩衝材の係合凸部のとの関係を示す正面図。
【図１６】さらに別の変形例の表示装置の梱包構造について、第１の支持部材の一部と突起部との分解斜視図。
【発明を実施するための形態】
【００１１】
一実施形態に係る表示装置の梱包構造を、図面を参照しつつ説明する。なお、本発明は、以下に説明する例示に限定されるものではなく、特許請求の範囲によって示され、特許請求の範囲と均等の意味および範囲内での全ての変更が含まれることが意図される。
【００１２】
また、以下の説明において、「上側」、「下側」、「左側」、「右側」、「前面」、および、「背面」は、図１に示すように表示装置１００の通常の使用状態における姿勢を基準として、表示パネル１１０を正面から見た場合の方向として規定される。また、図４〜図９の説明において、符号が付された表示装置１００の構成要素は、図１および図２の表示装置１００の構成要素を示す。
【００１３】
図１に示すように、表示装置１００は、薄型の表示装置であり、例えばデジタルサイネージのため、複数の表示装置１００が上下左右に連結されることにより構成されたビデオウォールに用いられる。
【００１４】
表示装置１００は、平面型の表示パネル１１０と、表示パネル１１０を収容する樹脂成形品などからなる外装ケース１２０とを備える。表示装置１００は、左右方向が長手方向となり、上下方向が短手方向となる長方形に形成されている。
【００１５】
外装ケース１２０は、表示パネル１１０の画像表示領域に対応するように開口部１２２が形成されたフロントキャビネット１２１を備える。フロントキャビネット１２１は、表示パネル１１０の外周縁の前面側を覆う額縁である。
【００１６】
また図２に示すように、外装ケース１２０は、フロントキャビネット１２１（図１参照）と組み合わせられ、表示パネル１１０の後側を覆うバックキャビネット１２３を備える。バックキャビネット１２３には、表示パネル１１０に画像を表示するための駆動回路やバックライト装置等（ともに図示略）が収容される収容部分１２４が形成されている。バックキャビネット１２３において収容部分１２４よりも下側の部分には、駆動回路やバックライト装置に電気的に接続する配線（図示略）が接続される配線口（図示略）が形成されている。
【００１７】
図３に示すように、表示装置１００の梱包構造として、表示装置１００が包装袋（図示略）により覆われた後、段ボールからなる梱包箱９０に収容される。このとき、表示装置１００を操作する操作装置、表示装置１００に接続されるケーブル、取扱説明書等が収容されたアクセサリーボックス９２も梱包箱９０に収容される。
【００１８】
また、表示装置１００が梱包箱９０に収容される際、表示装置１００の下側には、３個の緩衝材である左端緩衝材１０、右端緩衝材２０、および、中央緩衝材３０が取り付けられる。また、表示装置１００の上側には、３個の緩衝材である左端緩衝材４０、右端緩衝材５０、および、中央緩衝材６０が取り付けられる。中央緩衝材６０には、アクセサリーボックス９２が載置される。各緩衝材１０，２０，３０，４０，５０，６０は、例えば発泡ポリスチレン（ＥＰＳ）や発泡ポリプロピレン（ＥＰＰ）やピオセラン（PIOCELAN：登録商標、積水化成品工業株式会社）などの発泡樹脂を用いた成形品として構成されている。
【００１９】
また、表示装置１００の前側には、梱包箱９０内に表示装置１００とともに収容された状態において、支持部材の一例である支持枠７０が梱包箱９０と表示パネル１１０との間に配置される。支持枠７０は、枠状に形成され、表示装置１００の表示パネル１１０の面方向と平行するように配置される。支持部材の下側の部分としての支持枠７０の下側の枠体７４には、下側の各緩衝材１０，２０，３０が取り付けられ、支持部材の上側の部分としての支持枠７０の上側の枠体７４には、上側の各緩衝材４０，５０，６０が取り付けられる。このため、支持枠７０は、下側の各緩衝材１０，２０，３０と上側の各緩衝材４０，５０，６０とにより上下方向に挟み込まれる。
【００２０】
支持枠７０は、左右方向において分割された第１の支持部材の一例である第１の支持枠７０Ａおよび第２の支持部材の一例である第２の支持枠７０Ｂにより構成されている。第１の支持枠７０Ａおよび第２の支持枠７０Ｂは、例えば発泡ポリスチレン（ＥＰＳ）や発泡ポリプロピレン（ＥＰＰ）やピオセラン（PIOCELAN：登録商標、積水化成品工業株式会社）などの発泡樹脂を用いた成形品として構成されている。なお、第１の支持枠７０Ａおよび第２の支持枠７０Ｂは、発泡樹脂のうち、ピオセランにより形成されることが好ましい。
【００２１】
以上のように、表示装置１００の梱包構造は、次の構成を有する。すなわち、表示装置１００の梱包構造は、左端緩衝材として、支持枠７０の下側の枠体７４および表示装置１００の下端部を支持する下側の左端緩衝材１０と、支持枠７０の上側の枠体７４および表示装置１００の上端部を支持する上側の左端緩衝材４０とを有する。また表示装置１００の梱包構造は、右端緩衝材として、支持枠７０の下側の枠体７４および表示装置１００の下端部を支持する下側の右端緩衝材２０と、支持枠７０の上側の枠体７４および表示装置１００の上端部を支持する上側の右端緩衝材５０とを有する。また表示装置１００の梱包構造は、中央緩衝材として、支持枠７０の下側の枠体７４および表示装置１００の下端部を支持する下側の中央緩衝材３０と、支持枠７０の上側の枠体７４および表示装置１００の上端部を支持する上側の中央緩衝材６０とを有する。
【００２２】
また、表示装置１００の下端部には、緩衝板材８０が取り付けられている。緩衝板材８０は、表示装置１００を側面から見てＬ字状に形成され、外装ケース１２０の下端の前面および下面を左右方向の全体にわたり覆う。緩衝板材８０は、例えば圧縮紙により形成されている。緩衝板材８０は、表示装置１００を覆う包装袋（図示略）に例えばテープ（図示略）により貼り付けられている。
【００２３】
そして、各緩衝材１０，２０，３０および緩衝板材８０が取り付けられた表示装置１００は、梱包箱９０の一部を構成する段ボールからなる下側支持箱９１にさらに挿入される。これにより、左端緩衝材１０および右端緩衝材２０の左右方向の位置が決められる。
【００２４】
図４に示すように、第１の支持枠７０Ａは、上下方向が長手方向となり、左右方向が短手方向となる長方形により形成されている。第１の支持枠７０Ａには、前後方向に開口する開口部７１が形成されている。第１の支持枠７０Ａにおいて表示パネル１１０と前後方向に対向する第１の面７２Ａは、左右方向および上下方向に平行する平面として形成されている。第１の支持枠７０Ａを正面から見て、第１の支持枠７０Ａの角部である四隅には、面取りされた曲面７３が形成されている。第１の支持枠７０Ａを構成する各枠体７４において、上下方向に延びる枠体７４の幅寸法Ｗ１は、左右方向に延びる枠体７４の幅寸法Ｗ２よりも小さい。
【００２５】
図５に示すように、第１の支持枠７０Ａにおける表示パネル１１０が配置される側の面である第１の面７２Ａ（図４参照）とは反対側となる第２の面７２Ｂには、突起部７５Ａ，７５Ｂ，７５Ｃ，７５Ｄが形成されている。突起部７５Ａ，７５Ｂ，７５Ｃ，７５Ｄは、第２の面７２Ｂから前側に向けて突出している。すなわち、突起部７５Ａ，７５Ｂ，７５Ｃ，７５Ｄは、第２の面７２Ｂから表示パネル１１０とは反対側に延びている。上下方向および左右方向に隣り合う突起部７５Ａ，７５Ｂ，７５Ｃ，７５Ｄは、互いに対称となるように第１の支持枠７０Ａに形成されている。
【００２６】
突起部７５Ａ，７５Ｂ，７５Ｃ，７５Ｄは、第１の支持枠７０Ａの各枠体７４が連結される角部のそれぞれに形成されている。図６に示すように、枠体７４における突起部７５Ａ，７５Ｂ，７５Ｃ，７５Ｄからの上下方向の突出距離と、枠体７４における突起部７５Ａ，７５Ｂ，７５Ｃ，７５Ｄからの左右方向の突出距離とは互いに等しい。なお、以下の説明において、枠体７４における突起部７５Ａ，７５Ｂ，７５Ｃ，７５Ｄからの突出距離を「突出距離ＤＰ」とする。
【００２７】
突起部７５Ａ，７５Ｂ，７５Ｃ，７５Ｄは、左右方向に沿って延びる水平部７６、水平部７６の左右方向の端部から上下方向に沿って延びる垂直部７７、および、水平部７６と垂直部７７とを連結する案内部７８を有する。
【００２８】
図６に示すように、第２の支持枠７０Ｂは、第１の支持枠７０Ａと同一形状に形成されている。すなわち、第２の支持枠７０Ｂは、第１の支持枠７０Ａと同じ金型により成形されている。
【００２９】
第１の支持枠７０Ａおよび第２の支持枠７０Ｂは、左右方向に沿って並べられる。第１の支持枠７０Ａの各枠体７４のうちの第２の支持枠７０Ｂ側の枠体（以下、「中央枠体７４Ａ」）は、第２の支持枠７０Ｂの各枠体７４のうちの第１の支持枠７０Ａ側の枠体（以下、「中央枠体７４Ｂ」）と左右方向において隣接して配置されている。そして、中央枠体７４Ａおよび中央枠体７４Ｂにより、支持枠７０の中央桟７４Ｃが構成されている。このため、中央桟７４Ｃは、支持枠７０の左右方向の中央において上下方向に延びている。
【００３０】
中央桟７４Ｃの幅寸法ＷＡは、支持枠７０の他の枠体７４の幅寸法Ｗ１，Ｗ２よりも大きい。本実施形態では、中央桟７４Ｃの幅寸法ＷＡは、上下方向に延びる枠体７４の幅寸法Ｗ１の２倍となる。
【００３１】
支持枠７０は、支持枠７０に対する中央緩衝材３０，６０の左右方向の位置決めをするための第１係合部の一例である係合凹部７９Ａ，７９Ｂを有する。
係合凹部７９Ａは次のように構成される。すなわち、第１の支持枠７０Ａにおいて第２の支持枠７０Ｂ側かつ上側の突起部７５Ａと、第２の支持枠７０Ｂにおいて第１の支持枠７０Ａ側かつ上側の突起部７５Ｃとは、上下方向において同じ位置に配置され、かつ左右方向に空隙Ｇを置いて配置されている。このため、第１の支持枠７０Ａの突起部７５Ａおよび第２の支持枠７０Ｂの突起部７５Ｃは、突起部７５Ａと突起部７５Ｃとの間に形成される空隙Ｇにより、係合凹部７９Ａを構成するように形成されている。すなわち、第１の支持枠７０Ａにおける第２の支持枠７０Ｂ側の枠体７４、および、第２の支持枠７０Ｂにおける第１の支持枠７０Ａ側の枠体７４のそれぞれに突起部７５Ａ，７５Ｃが位置することにより係合凹部７９Ａが構成されている。
【００３２】
係合凹部７９Ｂは次にように構成される。すなわち、第１の支持枠７０Ａにおいて第２の支持枠７０Ｂ側かつ下側の突起部７５Ｂと、第２の支持枠７０Ｂにおいて第１の支持枠７０Ａ側かつ下側の突起部７５Ｄとは上下方向において同じ位置に配置され、かつ左右方向に空隙Ｇを置いて配置されている。このため、第１の支持枠７０Ａの突起部７５Ｂおよび第２の支持枠７０Ｂの突起部７５Ｄは、突起部７５Ｂと突起部７５Ｄの間に形成される空隙Ｇにより、係合凹部７９Ｂを構成するように形成されている。すなわち、第１の支持枠７０Ａにおける第２の支持枠７０Ｂ側の枠体７４、および、第２の支持枠７０Ｂにおける第１の支持枠７０Ａ側の枠体７４のそれぞれに突起部７５Ｂ，７５Ｄが位置することにより係合凹部７９Ｂが構成されている。
【００３３】
図７に示すように、第１の支持枠７０Ａの下端部および第２の支持枠７０Ｂの下端部は、左端緩衝材１０、右端緩衝材２０、および、中央緩衝材３０に挿入される。
左端緩衝材１０には、第１の支持枠７０Ａの左端部および表示装置１００の左端部を下側および左側から支持する支持部１１が形成されている。支持部１１は、第１の支持枠７０Ａおよび表示装置１００を下側から支持する第１支持壁１２と、第１の支持枠７０Ａおよび表示装置１００を左側から支持する第２支持壁１３と、表示装置１００を後側から支持する２個の第３支持壁１４とを備える。第１支持壁１２は、左右方向に沿って延びる２つの支持面１２Ａが形成されている。第２支持壁１３は、支持面１２Ａの左縁から上側に延びる壁である。各第３支持壁１４は、支持面１２Ａの後縁から上側に延びる壁である。２個の第３支持壁１４は、左右方向に間隔を置いて形成されている。
【００３４】
支持部１１には、第１の支持枠７０Ａの下側の枠体７４および左側の枠体７４が挿入される挿入部１５が形成されている。挿入部１５は、第１支持壁１２および第２支持壁１３にわたり形成される溝である。
【００３５】
挿入部１５において第１支持壁１２に形成された部分の溝の幅の大きさと挿入部１５において第２支持壁１３に形成された部分の溝の幅の大きさとは互いに等しい。挿入部１５の溝の幅寸法ＧＷは、第１の支持枠７０Ａの厚み寸法Ｔよりも大きい。これにより、第１の支持枠７０Ａが支持部１１に挿入されやすい。
【００３６】
挿入部１５において第１支持壁１２に形成された部分の溝の深さと挿入部１５において第２支持壁１３に形成された部分の溝の深さとは互いに等しい。挿入部１５の溝の深さ寸法ＧＨは、図６に示される突出距離ＤＰと概ね等しい。
【００３７】
支持部１１において挿入部１５よりも後側には、表示装置１００を支持するための後側支持部１６が形成されている。後側支持部１６は、挿入部１５よりも後側の支持面１２Ａを含み、第１支持壁１２の後側の部分および第２支持壁１３の後側の部分により構成されている。
【００３８】
支持部１１において挿入部１５よりも前側には、第１の支持枠７０Ａの突起部７５Ｄを支持するための前側支持部１７が形成されている。前側支持部１７は、挿入部１５よりも前側の支持面１２Ａを含み、第１支持壁１２の前側の部分および第２支持壁１３の前側の部分により構成されている。
【００３９】
右端緩衝材２０は、左端緩衝材１０を左右対称にした構成であり、第２の支持枠７０Ｂおよび表示装置１００を下側および右側から支持する支持部２１を備える。支持部２１は、左端緩衝材１０の支持部１１と同様の構成であり、第１支持壁２２、第２支持壁２３、および、第３支持壁２４を備える。また支持部２１には、支持部１１と同様に、挿入部２５、後側支持部２６、および、前側支持部２７が形成されている。
【００４０】
中央緩衝材３０は、支持枠７０および表示装置１００の上下方向の端部を支持する支持部３１を備える。支持部３１には、第１の支持枠７０Ａの下側の枠体７４、第２の支持枠７０Ｂの下側の枠体７４、および、表示装置１００の下端部が挿入される。支持部３１は、第１の支持枠７０Ａ、第２の支持枠７０Ｂ、および、表示装置１００を下側から支持する第１支持壁３２、および、表示装置１００を後側から支持する第２支持壁３３を備える。
【００４１】
第１支持壁３２には、第１の支持枠７０Ａの下側の枠体７４、第２の支持枠７０Ｂの下側の枠体７４が挿入される挿入部３４が形成されている。挿入部３４は、第１支持壁３２の左端から右端に向けて延びる溝である。挿入部３４の溝の幅寸法ＧＷは、挿入部１５，２５の溝の幅寸法ＧＷと等しい。挿入部３４の溝の深さ寸法ＧＨは、挿入部１５，２５の溝の深さ寸法ＧＨと等しい。
【００４２】
支持部３１において挿入部３４よりも後側には、表示装置１００を支持するための後側支持部３５が形成されている。後側支持部３５の支持面３５Ａの前後方向の寸法となる幅寸法は、後側支持部１６，２６の支持面１２Ａ，２２Ａの前後方向の寸法となる幅寸法と等しい。
【００４３】
支持部３１において挿入部３４よりも前側には、第１の支持枠７０Ａの突起部７５Ｂおよび第２の支持枠７０Ｂの突起部７５Ｄを支持するための前側支持部３６が形成されている。前側支持部３６の支持面３６Ａの前後方向の寸法となる厚み寸法は、前側支持部１７，２７の支持面１２Ａ，２２Ａの前後方向の寸法となる厚み寸法と等しい。
【００４４】
中央緩衝材３０は、支持枠７０の第１係合部の一例である係合凹部７９Ｂに係合する第２係合部の一例である係合凸部３７を有する。すなわち、第２係合部は、係合凹部７９Ｂを構成する第１の支持枠７０Ａの突起部７５Ｂおよび第２の支持枠７０Ｂの突起部７５Ｄの間に形成される空隙Ｇに嵌まり込む係合凸部３７を有する。係合凸部３７は、前側支持部３６の支持面３６Ａの左右方向の中央から上側に延びている。係合凸部３７は、前側から見て上下方向が長手方向となり、左右方向が短手方向となる長方形に形成されている。係合凸部３７の左右方向の寸法である幅寸法は、第１の支持枠７０Ａの突起部７５Ｂと第２の支持枠７０Ｂの突起部７５Ｄとにより構成される係合凹部７９Ｂを形成する空隙Ｇの左右方向の大きさよりも僅かに小さい。
【００４５】
図８に示すように、第１の支持枠７０Ａの上端部および第２の支持枠７０Ｂの上端部は、左端緩衝材４０、右端緩衝材５０、および、中央緩衝材６０に挿入される。
左端緩衝材４０は、下側の左端緩衝材１０（図７参照）を上下対称にした構成であり、第１の支持枠７０Ａおよび表示装置１００を上側および左側から支持する支持部４１を備える。支持部４１は、左端緩衝材１０の支持部１１（図７参照）と同様の構成であり、第１支持壁４２、第２支持壁４３、および、第３支持壁４４を備える。また支持部４１には、支持部１１と同様に、挿入部４５、後側支持部４６、および、前側支持部４７が形成されている。
【００４６】
右端緩衝材５０は、上側の左端緩衝材４０を左右対称にした構成であり、第２の支持枠７０Ｂおよび表示装置１００を上側および右側から支持する支持部５１を備える。支持部５１は、左端緩衝材４０の支持部４１と同様の構成であり、第１支持壁５２、第２支持壁５３、および、第３支持壁５４を備える。また支持部５１には、支持部４１と同様に、挿入部５５、後側支持部５６、および、前側支持部５７が形成されている。
【００４７】
中央緩衝材６０の左右方向の寸法は、下側の中央緩衝材３０（図７参照）の左右方向の寸法よりも大きい。中央緩衝材６０は、支持枠７０および表示装置１００の上下方向の端部を支持する支持部６１を備える。支持部６１には、第１の支持枠７０Ａの上側の枠体７４、第２の支持枠７０Ｂの上側の枠体７４、および、表示装置１００の上端部が挿入される。支持部６１は、下側の中央緩衝材３０の支持部３１（図７参照）と概ね同様の構成であり、第１支持壁６２および第２支持壁６３を備える。第１支持壁６２には、中央緩衝材３０の第１支持壁３２（図７参照）と同様に、挿入部６４、後側支持部６５、および、前側支持部６６が形成されている。
【００４８】
中央緩衝材６０は、支持枠７０の第１係合部の一例である係合凹部７９Ａに係合する第２係合部の一例である係合凸部６７を有する。すなわち、第２係合部は、係合凹部７９Ａを構成する第１の支持枠７０Ａの突起部７５Ａおよび第２の支持枠７０Ｂの突起部７５Ｃの間に形成される空隙Ｇに嵌まり込む係合凸部６７を有する。係合凸部６７は、前側支持部６６の支持面６６Ａの左右方向の中央から上側に延びている。係合凸部６７は、前側から見て上下方向が長手方向となり、左右方向が短手方向となる長方形に形成されている。係合凸部６７の左右方向の寸法である幅寸法は、第１の支持枠７０Ａの突起部７５Ａと第２の支持枠７０Ｂの突起部７５Ｃとの間の空隙Ｇの左右方向の大きさよりも僅かに小さい。
【００４９】
また、中央緩衝材６０の上側には、図３に示されるアクセサリーボックス９２が収容される収容部６８が形成されている。収容部６８は、上側および後側が開口する凹形状に形成されている。
【００５０】
次に、図９〜図１１を参照して、表示装置１００が各緩衝材１０，２０，３０，４０，５０，６０および支持枠７０に取り付けられた状態、および、表示装置１００が梱包箱９０に収容された状態について説明する。
【００５１】
図９に示すように、表示装置１００の表示パネル１１０の前側が支持枠７０に対向するように表示装置１００および各緩衝材１０，２０，３０，４０，５０，６０が互いに組み付けられる。支持枠７０の中央桟７４Ｃは、表示装置１００を覆う梱包袋を介して外装ケース１２０のフロントキャビネット１２１の左右方向の中央に接触し、表示パネル１１０の左右方向の中央を接触可能に支持することができる。
【００５２】
図９に示すように、左端緩衝材１０は、中央緩衝材３０の左側に間隔を置いて配置され、支持枠７０の左端部および表示装置１００の左端部を支持している。右端緩衝材２０は、中央緩衝材３０の右側に間隔を置いて配置され、支持枠７０の右端部および表示装置１００の右端部を支持している。
【００５３】
支持枠７０の係合凹部７９Ａを構成する第１の支持枠７０Ａの突起部７５Ａおよび第２の支持枠７０Ｂの突起部７５Ｃは、中央緩衝材６０と左右方向に同じ位置において、左右方向に間隔を置いて配置されている。支持枠７０の係合凹部７９Ｂを構成する第１の支持枠７０Ａの突起部７５Ｂおよび第２の支持枠７０Ｂの突起部７５Ｄは、中央緩衝材３０と左右方向に同じ位置において、左右方向に間隔を置いて配置されている。
【００５４】
左端緩衝材１０の前側支持部１７は、第１の支持枠７０Ａの突起部７５Ｄと左右方向および上下方向において接触している、または左右方向および上下方向において僅かな隙間を介して対向している。
【００５５】
右端緩衝材２０の前側支持部２７は、第２の支持枠７０Ｂの突起部７５Ｂと左右方向および上下方向において接触している、または左右方向および上下方向において僅かな隙間を介して対向している。
【００５６】
中央緩衝材３０の前側支持部３６は、第１の支持枠７０Ａの突起部７５Ｂの水平部７６および第２の支持枠７０Ｂの突起部７５Ｄの水平部７６のそれぞれと接触している、または上下方向に僅かな隙間を介して対向している。すなわち、中央緩衝材３０は、上下方向において水平部７６に対して接触可能に支持されている。
【００５７】
なお、上記の僅かな隙間は、支持部１１，２１，３１の挿入部１５，２５，３４の幅寸法ＧＷ（ともに図７参照）と第１の支持枠７０Ａの厚み寸法Ｔおよび第２の支持枠７０Ｂの厚み寸法Ｔ（ともに図７参照）との差よりも小さいことが好ましい。
【００５８】
中央緩衝材３０の係合凸部３７には、上側から支持枠７０の係合凹部７９Ｂが挿入される。このとき、係合凸部３７の先端部は、係合凹部７９Ｂを構成する第１の支持枠７０Ａの突起部７５Ｂおよび第２の支持枠７０Ｂの突起部７５Ｄのそれぞれの案内部７８により、係合凹部７９Ｂに案内される。すなわち、案内部７８は、係合凸部３７を垂直部７７側に案内する。
【００５９】
そして図９に示されるように、中央緩衝材３０の係合凸部３７は、支持枠７０の係合凹部７９Ｂに嵌め込まれている。すなわち、係合凸部３７は、係合凹部７９Ｂを構成する第１の支持枠７０Ａの突起部７５Ｂの垂直部７７と接触している、または左右方向において僅かな隙間を介して対向している。また係合凸部３７は、係合凹部７９Ｂを構成する第２の支持枠７０Ｂの突起部７５Ｄの垂直部７７と接触している、または左右方向において僅かな隙間を介して対向している。また係合凸部３７は、第１の支持枠７０Ａと第２の支持枠７０Ｂとの境界部分、すなわち第１の支持枠７０Ａの中央枠体７４Ａの右縁と第２の支持枠７０Ｂの中央枠体７４Ｂの左縁とが接触する部分を左右方向に跨っている。
【００６０】
また、左端緩衝材４０は、中央緩衝材６０の左側に間隔を置いて配置され、支持枠７０の左端部および表示装置１００の左端部を支持している。右端緩衝材５０は、中央緩衝材６０の右側に間隔を置いて配置され、支持枠７０の右端部および表示装置１００の右端部を支持している。
【００６１】
左端緩衝材４０の前側支持部４７は、第１の支持枠７０Ａの突起部７５Ｃと左右方向および上下方向において接触している、または左右方向および上下方向において僅かな隙間を介して対向している。
【００６２】
右端緩衝材５０の前側支持部５７は、第２の支持枠７０Ｂの突起部７５Ａと左右方向および上下方向において接触している、または左右方向および上下方向において僅かな隙間を介して対向している。
【００６３】
中央緩衝材６０の前側支持部６６は、第１の支持枠７０Ａの突起部７５Ａの水平部７６および第２の支持枠７０Ｂの突起部７５Ｃの水平部７６のそれぞれと接触している、または上下方向に僅かな隙間を介して対向している。すなわち、中央緩衝材６０は、上下方向において水平部７６に対して接触可能に支持されている。
【００６４】
なお、上記の前側支持部４７，５７，６６と支持枠７０との間の僅かな隙間は、支持部１１，２１，３１の挿入部１５，２５，３４の幅寸法ＧＷ（ともに図７参照）と各支持枠７０Ａ，７０Ｂの厚み寸法Ｔ（図７参照）との差よりも小さいことが好ましい。
【００６５】
中央緩衝材６０の係合凸部６７は、上側から支持枠７０の係合凹部７９Ａに挿入される。このとき、係合凸部６７の先端部は、係合凹部７９Ａを構成する第１の支持枠７０Ａの突起部７５Ａおよび第２の支持枠７０Ｂの突起部７５Ｃのそれぞれの案内部７８により、係合凹部７９Ａの空隙Ｇに案内される。すなわち、案内部７８は、係合凸部６７を垂直部７７側に案内する。
【００６６】
そして図９に示すように、中央緩衝材６０の係合凸部６７は、支持枠７０の係合凹部７９Ａに嵌め込まれている。すなわち、係合凸部６７は、係合凹部７９Ａを構成する第１の支持枠７０Ａの突起部７５Ａの垂直部７７と接触している、または左右方向において僅かな隙間を介して対向している。また係合凸部６７は、係合凹部７９Ａを構成する第２の支持枠７０Ｂの突起部７５Ｃの垂直部７７と接触している、または左右方向において僅かな隙間を介して対向している。また係合凸部６７は、第１の支持枠７０Ａと第２の支持枠７０Ｂとの境界部分を左右方向に跨っている。
【００６７】
図１０に示すように、表示装置１００の外装ケース１２０におけるバックキャビネット１２３の収容部分１２４は、中央緩衝材３０，６０により上下方向に挟まれている。バックキャビネット１２３は、左端緩衝材１０，４０の第３支持壁１４，４４、右端緩衝材２０，５０の第３支持壁２４，５４、および、中央緩衝材３０，６０の第２支持壁３３，６３により支持されている。このため、各緩衝材１０，２０，３０，４０，５０，６０に対する表示装置１００の後側への移動が制限される。
【００６８】
図１１に示すように、支持枠７０の下側の枠体７４および表示装置１００の下端部は、下側の中央緩衝材３０により前後方向に挟み込まれている。このため、中央緩衝材３０は、梱包箱９０内に表示装置１００および支持枠７０とともに収容された状態において、表示装置１００および支持枠７０が配置される方向において表示装置１００および支持枠７０の左右方向の中央を挟み込むように支持する。なお、図１１には図示していないが、支持枠７０の下側の枠体７４および表示装置１００の下端部は、下側の左端緩衝材１０および右端緩衝材２０により前後方向に挟み込まれている。
【００６９】
また支持枠７０の上側の枠体７４および表示装置１００の上端部は、上側の中央緩衝材６０により前後方向に挟み込まれている。このため、中央緩衝材６０は、梱包箱９０内に表示装置１００および支持枠７０とともに収容された状態において、表示装置１００および支持枠７０が配置される方向において表示装置１００および支持枠７０の左右方向の中央を挟み込むように支持する。なお、図１１には図示していないが、支持枠７０の上側の枠体７４および表示装置１００の上端部は、上側の左端緩衝材４０および右端緩衝材５０により前後方向に挟み込まれている。
【００７０】
図１１に示すように、緩衝板材８０は、支持枠７０の下側の枠体７４の後面と表示装置１００の外装ケース１２０の下端部の前面とにより挟み込まれている。また緩衝板材８０は、支持部１１，２１，３１の支持面１２Ａ，２２Ａ，３５Ａ（ともに図７参照）と外装ケース１２０の下端部の下面とにより挟み込まれている。
【００７１】
また図１１に示すように、支持枠７０は、梱包箱９０の前面９０Ａ側の内面と前後方向に空間を置いて配置されている。支持枠７０と梱包箱９０との間の空間には、突起部７５Ａ，７５Ｂが位置している。なお、図１１では図示していないが、空間には、突起部７５Ａ，７５Ｂ以外にも、突起部７５Ｃ，７５Ｄも位置している。
【００７２】
突起部７５Ａ，７５Ｂの先端面の前後方向の位置と、中央緩衝材３０，６０の前面の前後方向の位置とは互いに等しい。突起部７５Ａの先端面および中央緩衝材６０の前面は、梱包箱９０に接触している、または僅かな隙間を介して対向している。すなわち突起部７５Ａの先端面は、梱包箱９０の内面に接触可能である。また突起部７５Ｂの先端面および中央緩衝材３０の前面は、梱包箱９０の一部を構成する下側支持箱９１に接触している。すなわち突起部７５Ｂの先端面は、梱包箱の一部を構成する下側支持箱９１の内面に接触可能である。なお、図１１では図示していないが、突起部７５Ｂ，７５Ｃ，７５Ｄや左端緩衝材１０，４０および右端緩衝材２０，５０についても同様である。また上記の僅かな隙間は、支持部１１，２１，３１の挿入部１５，２５，３４の幅寸法ＧＷ（ともに図７参照）と第１の支持枠７０Ａの厚み寸法Ｔおよび第２の支持枠７０Ｂの厚み寸法Ｔ（ともに図７参照）との差よりも小さいことが好ましい。
【００７３】
ところで、表示装置１００が梱包箱９０に収容された状態において、梱包箱９０の前面９０Ａ側が落下する等により梱包箱９０に機械的衝撃が加えられたとき、表示パネル１１０が外装ケース１２０に対して前側に撓む。このとき、表示パネル１１０の上下方向および左右方向の中央の撓み量が最大となる。
【００７４】
しかし、図１１の二点鎖線により示すように、表示パネル１１０が前側に撓んだとき、支持枠７０の中央桟７４Ｃが表示パネル１１０の左右方向の中央に速やかに接触する。これにより、図１１の二点鎖線により示すように、中央桟７４Ｃは、表示パネル１１０の撓みを制限しつつ、前側に撓む。すなわち、中央桟７４Ｃが撓むことにより、中央桟７４Ｃにおける表示パネル１１０の撓みに対して表示パネル１１０への反力が小さくなる。
【００７５】
また、例えば作業者が梱包箱９０の前面９０Ａの上下方向および左右方向の中央を叩くことにより、図１１の二点鎖線により示すように、梱包箱９０の前面９０Ａの上下方向および左右方向の中央が表示パネル１１０に向けて変形する場合がある。また、梱包箱９０の前面９０Ａ側が落下する等により同様に梱包箱９０の前面９０Ａが表示パネル１１０に向けて変形する場合がある。
【００７６】
しかし、本実施形態の表示装置１００の梱包構造では、梱包箱９０が表示パネル１１０側に変形しても支持枠７０に接触しないように、梱包箱９０と支持枠７０との前後方向の間に空間が形成されている。このため、梱包箱９０が支持枠７０に接触することにより、支持枠７０を介して表示パネル１１０に力が加えられることが抑制されるため、表示パネル１１０が破損することが抑制される。
【００７７】
特に、梱包箱９０と支持枠７０との間の空間は、表示パネル１１０が前側に撓むことにより支持枠７０が前側に撓んだ状態で梱包箱９０が表示パネル１１０側に変形したとしても、梱包箱９０と支持枠７０とが接触しない大きさに設定されている。これにより、表示パネル１１０が破損するおそれが一層低減される。
【００７８】
次に、図３および図９を参照して、本実施形態の表示装置１００の梱包構造の作用について説明する。
図３に示すように、下側支持箱９１に下側の左端緩衝材１０、右端緩衝材２０、および、中央緩衝材３０が収容される。また、梱包箱９０に上側の左端緩衝材４０、右端緩衝材５０、および、中央緩衝材６０が収容される。そして図９に示すように、左端緩衝材１０，４０、右端緩衝材２０，５０、および、中央緩衝材３０，６０には、支持枠７０が取り付けられる。このため、下側の左端緩衝材１０および右端緩衝材２０は、支持枠７０と下側支持箱９１との間に挟み込まれることにより、左右方向への移動が制限される。また上側の左端緩衝材４０および右端緩衝材５０は、支持枠７０と梱包箱９０との間に挟み込まれることにより、左右方向への移動が制限される。言い換えれば、支持枠７０は、左端緩衝材１０，４０および右端緩衝材２０，５０と梱包箱９０および下側支持箱９１とにより左右方向への移動が制限される。
【００７９】
図９に示すように、下側の中央緩衝材３０の係合凸部３７が支持枠７０の係合凹部７９Ｂに嵌め込まれていることにより、支持枠７０に対する中央緩衝材３０の左右方向の位置が決められる。
【００８０】
そして、中央緩衝材３０が左右方向に移動しようとした場合、係合凸部３７が係合凹部７９Ｂを構成する突起部７５Ｂ，７５Ｄの垂直部７７に当接する。そして上述のように、支持枠７０が左右方向に移動しないため、突起部７５Ｂ，７５Ｄが左右方向に移動しない。このため、突起部７５Ｂ，７５Ｄが係合凸部３７による左右方向へ移動する力を受けることができる。これにより、突起部７５Ｂ，７５Ｄにより係合凸部３７の左右方向への移動が制限される。このため、例えば表示装置１００等が収容された梱包箱９０が落下したときに梱包箱９０に機械的衝撃が加えられたとしても、下側の中央緩衝材３０の左右方向の両側への移動が制限される。
【００８１】
また図９に示すように、上側の中央緩衝材６０の係合凸部６７が支持枠７０の係合凹部７９Ａに嵌め込まれていることにより、支持枠７０に対する中央緩衝材６０の左右方向の位置が決められる。このため、下側の中央緩衝材３０の係合凸部３７と同様に、係合凸部６７は、係合凹部７９Ａを構成する突起部７５Ａ，７５Ｃにより左右方向への移動が制限されるため、中央緩衝材６０の左右方向の両側への移動が制限される。
【００８２】
本実施形態の表示装置１００の梱包構造によれば、以下の効果が得られる。
（１）支持枠７０は、第１係合部としての係合凹部７９Ａ，７９Ｂを有し、中央緩衝材３０，６０は、第１係合部に係合する第２係合部としての係合凸部３７，６７を有する。この構成によれば、係合凹部７９Ａ，７９Ｂが係合凸部３７，６７に係合するため、支持枠７０に対する中央緩衝材３０，６０の左右方向の位置が決められたうえで、支持枠７０に対して中央緩衝材３０，６０が左右方向に移動することが制限される。したがって、従来の表示装置の梱包構造における係合部を有していない中央緩衝材と比較して、中央緩衝材３０，６０の左右方向への移動が制限される。
【００８３】
また中央緩衝材の左右方向の寸法を全体的に大きくすることにより左端緩衝材および右端緩衝材と中央緩衝材との間の空間を埋めて中央緩衝材の左右方向への移動を制限する構成と比較して、中央緩衝材３０，６０の材料の増加量が少ない。したがって、中央緩衝材３０，６０のコストアップを抑制することができる。
【００８４】
（２）中央緩衝材３０，６０の係合凸部３７，６７が支持枠７０の係合凹部７９Ａ，７９Ｂに嵌め込まれている。この構成によれば、係合凹部７９Ａ，７９Ｂにより係合凸部３７，６７の左右方向の両側への移動が制限される。したがって、中央緩衝材３０，６０の左右方向への移動を一層制限することができる。
【００８５】
（３）支持枠７０と各緩衝材１０，２０，３０，４０，５０，６０の挿入部１５，２５，３４，４５，５５，６４との前後方向の間には、支持枠７０を挿入容易にするために隙間が形成されることは避け難い。このため、支持枠７０が例えば各緩衝材１０，２０，３０，４０，５０，６０に対して表示装置１００から離間する方向に移動するおそれがある。
【００８６】
そこで、本実施形態の表示装置１００の梱包構造では、支持枠７０が突起部７５Ａ，７５Ｂ，７５Ｃ，７５Ｄを有することにより、突起部７５Ａ，７５Ｂ，７５Ｃ，７５Ｄの先端面が梱包箱９０の内面と接触する。これにより、各緩衝材１０，２０，３０，４０，５０，６０に対して支持枠７０が表示装置１００から離間する方向に移動することが制限される。このため、表示装置１００と支持枠７０との間の隙間が過度に大きくなることが抑制される。したがって、表示装置１００と支持枠７０との間の隙間により表示パネル１１０が撓む一方、中央桟７４Ｃに接触しない状態の発生が抑制されるため、表示パネル１１０の撓みに起因して表示パネル１１０が外装ケース１２０から外れてしまうことが抑制される。
【００８７】
（４）上記（３）において説明したように、中央緩衝材６０の挿入部６４と支持枠７０との間に隙間が形成される。このため、例えば、梱包箱９０に中央緩衝材６０が未だに収容されていない状態で支持枠７０に中央緩衝材６０が取り付けられた場合、支持枠７０に対して中央緩衝材６０が傾くおそれがある。
【００８８】
そこで、本実施形態の中央緩衝材６０は、支持枠７０の係合凹部７９Ａを構成する突起部７５Ａ，７５Ｃの水平部７６により、上下方向において接触可能に支持される。このため、中央緩衝材６０が支持枠７０に対して傾くことが抑制される。
【００８９】
なお、第１の支持枠７０Ａの突起部７５Ｃと上側の左端緩衝材４０との関係、および、第２の支持枠７０Ｂの突起部７５Ａと上側の右端緩衝材５０との関係についても中央緩衝材６０と支持枠７０の突起部７５Ａ，７５Ｃとの関係と同様である。このため、左端緩衝材４０および右端緩衝材５０が支持枠７０に対して傾くことが抑制される。
【００９０】
また、表示装置１００が梱包箱９０に収容されていない状態において、中央緩衝材３０が下側支持箱９１に収容された状態で支持枠７０が挿入されるため、中央緩衝材３０に対して支持枠７０が傾くおそれがある。
【００９１】
そこで、本実施形態では、中央緩衝材３０が支持枠７０の係合凹部７９Ｂを構成する突起部７５Ｂ，７５Ｄの水平部７６を上下方向において接触可能に支持するため、支持枠７０が中央緩衝材３０に対して傾くことが抑制される。
【００９２】
なお、第１の支持枠７０Ａの突起部７５Ｄと下側の左端緩衝材１０との関係、および、第２の支持枠７０Ｂの突起部７５Ｂと下側の右端緩衝材２０との関係についても中央緩衝材３０と支持枠７０の突起部７５Ｂ，７５Ｄとの関係と同様である。このため、左端緩衝材１０および右端緩衝材２０に対して支持枠７０が傾くことが抑制される。
【００９３】
（５）支持枠７０の係合凹部７９Ａを構成する突起部７５Ａ，７５Ｃは、上側の中央緩衝材６０の係合凸部６７を垂直部７７に案内する案内部７８を有する。この構成によれば、係合凸部６７が案内部７８を介して係合凹部７９Ａにおける左右方向に隣り合う垂直部７７の間の空隙Ｇに嵌まり込みやすくなる。このため、支持枠７０と中央緩衝材６０とを容易に組み付けることができる。なお、支持枠７０の係合凹部７９Ｂについても同様に案内部７８を有するため、下側の中央緩衝材３０と支持枠７０とを容易に組み付けることができる。
【００９４】
（６）下側の左端緩衝材１０、中央緩衝材３０、および、右端緩衝材２０は、左右方向に間隔を置いて配置されている。この構成によれば、例えば下側支持箱９１に収容された状態で表示装置１００が梱包箱９０から取り出されたうえで、下側支持箱９１が床面に置かれたとき、左端緩衝材１０と中央緩衝材３０との間の空間を介して表示装置１００への配線の取付作業が可能となる。また同様に右端緩衝材２０と中央緩衝材３０との間の空間を介して表示装置１００への配線の取り付け作業が可能となる。このため、作業者が表示装置１００への配線の取り付け作業を容易に行うことができる。
【００９５】
上記実施形態に関する説明は、本発明に従う表示装置の梱包構造が取り得る形態の例示であり、その形態を制限することを意図していない。本発明に従う表示装置の梱包構造は、例えば以下に示される上記実施形態の変形例、および、相互に矛盾しない少なくとも２つの変形例が組み合わせられた形態を取り得る。
【００９６】
・上記実施形態において、図１２に示すように、第１の支持枠７０Ａの突起部７５Ａの垂直部７７および第２の支持枠７０Ｂの突起部７５Ｃの垂直部７７は、水平部７６から上側に延びてもよい。この場合、中央緩衝材６０は、係合凸部６７に代えて、係合凹部６９が形成される。そして、突起部７５Ａ，７５Ｃの垂直部７７は、係合凹部６９に嵌め込まれる係合凸部を構成する。なお、図１２では図示しないが、下側の中央緩衝材３０と、第１の支持枠７０Ａの突起部７５Ｂおよび第２の支持枠７０Ｂの突起部７５Ｄとからなる係合凸部および係合凹部の関係についても同様に変更することができる。
【００９７】
・上記実施形態において、図１３に示すように、第１の支持枠７０Ａの突起部７５Ａの垂直部７７は、水平部７６に対して左右方向において第２の支持枠７０Ｂ側とは反対側の端部から上側に延びる構成であってもよい。また第２の支持枠７０Ｂの突起部７５Ｃの垂直部７７は、水平部７６に対して左右方向において第１の支持枠７０Ａ側とは反対側の端部から上側に延びる構成であってもよい。中央緩衝材６０の係合凸部６７は、係合凹部７９Ａを構成する突起部７５Ａの垂直部７７および突起部７５Ｃの垂直部７７の左右方向の間の空隙Ｇに嵌め込まれる。図１３に示すとおり、係合凸部６７の下端面は、突起部７５Ａの水平部７６および突起部７５Ｃの水平部７６に接触する、または上下方向に僅かな隙間を介して対向する。なお、図１３では図示しないが、下側の中央緩衝材３０と、第１の支持枠７０Ａの突起部７５Ｂおよび第２の支持枠７０Ｂの突起部７５Ｄとからなる係合凸部および係合凹部の関係についても同様に変更することができる。
【００９８】
・上記実施形態において、図１４に示すように、第１の支持枠７０Ａの突起部７５Ａおよび第２の支持枠７０Ｂの突起部７５Ｃから案内部７８を省略してもよい。この場合、図１４に示すように、中央緩衝材６０の係合凸部６７の先端角部に案内部６７Ａが形成されることが好ましい。この構成によれば、図１４の二点鎖線により示すように、中央緩衝材６０が支持枠７０に取り付けられるとき、係合凸部６７の案内部６７Ａにより、係合凸部６７が係合凹部７９Ａを構成する突起部７５Ａおよび突起部７５Ｃとの間の空隙Ｇに案内される。なお、図１４では図示しないが、下側の中央緩衝材３０と、第１の支持枠７０Ａの突起部７５Ｂおよび第２の支持枠７０Ｂの突起部７５Ｄとからなる係合凸部および係合凹部の関係についても同様に変更することができる。
【００９９】
・上記実施形態において、図１５に示すように、第１の支持枠７０Ａの突起部７５Ａおよび第２の支持枠７０Ｂの突起部７５Ｃは、円柱であってもよい。突起部７５Ａおよび突起部７５Ｃは、係合凹部７９Ａを構成する。中央緩衝材６０の係合凸部６７は、突起部７５Ａおよび突起部７５Ｃとの間の空隙Ｇに嵌め込まれる。なお、突起部７５Ａ，７５Ｃの形状は、四角柱などの円柱以外の多角柱であってもよい。また図１５では図示しないが、下側の中央緩衝材３０と、第１の支持枠７０Ａの突起部７５Ｂおよび第２の支持枠７０Ｂの突起部７５Ｄとからなる係合凸部および係合凹部の関係についても同様に変更することができる。
【０１００】
・上記実施形態において、突起部７５Ａ，７５Ｂ，７５Ｃ，７５Ｄの少なくとも１つは、水平部７６および垂直部７７の一方が省略されてもよい。
・上記実施形態において、突起部７５Ａ，７５Ｂ，７５Ｃ，７５Ｄの少なくとも１つは、水平部７６および垂直部７７の一方と案内部７８とが省略されてもよい。
【０１０１】
・上記実施形態において、図１６に示すように、第１の支持枠７０Ａから突起部７５Ａが着脱可能に取り付けられてもよい。第１の支持枠７０Ａには、突起部７５Ａが嵌め合わせられるための嵌合部７４Ｄが形成される。一例として、嵌合部７４Ｄは、第１の支持枠７０Ａを正面から見て、突起部７５Ａと相似形状となる貫通孔である。また突起部７５Ａには、嵌合部７４Ｄと嵌め合わせられる突出部７５Ｅが形成される。突起部７５Ａは、突出部７５Ｅが嵌合部７４Ｄに嵌め合わせられたとき、第１の支持枠７０Ａにおける嵌合部７４Ｄの周縁に接触する。なお、第１の支持枠７０Ａにおける突起部７５Ｂ，７５Ｃ，７５Ｄについても図１６の突起部７５Ａおよび嵌合部７４Ｄと同様の構成に変更することができる。また第２の支持枠７０Ｂについても図１６の第１の支持枠７０Ａと同様の構成に変更することができる。
【０１０２】
・上記実施形態において、第１の支持枠７０Ａの突起部７５Ａおよび第２の支持枠７０Ｂの突起部７５Ｃと、第１の支持枠７０Ａの突起部７５Ｂおよび第２の支持枠７０Ｂの突起部７５Ｄとの一方を省略してもよい。すなわち、係合凹部７９Ａおよび係合凹部７９Ｂの一方を省略してもよい。この場合、中央緩衝材３０，６０の係合凸部３７，６７のうち、省略された係合凹部に対応する係合凸部を省略してもよい。
【０１０３】
・上記実施形態において、支持枠７０から中央桟７４Ｃを省略してもよい。
・上記実施形態において、第１の支持枠７０Ａおよび第２の支持枠７０Ｂの２枚の枠に代えて、支持枠７０を１枚の枠により構成してもよい。
【０１０４】
・上記実施形態において、表示装置１００の表示パネル１１０の面方向に平行するように配置される支持部材は、支持枠７０に代えて、開口部７１が形成されていない板状部材であってもよい。この場合、板状部材の左右方向の中央の上側には、係合凹部７９Ａが形成され、板状部材の左右方向の中央の下側には、係合凹部７９Ｂが形成される。
【０１０５】
・上記実施形態において、上側の中央緩衝材６０の左右方向の寸法を小さくしてもよい。例えば、上側の中央緩衝材６０の左右方向の寸法を下側の中央緩衝材３０の左右方向の寸法と等しくする。この場合、アクセサリーボックス９２は、例えば、上側の左端緩衝材４０、右端緩衝材５０、および、中央緩衝材６０に分散して収容することが好ましい。
【産業上の利用可能性】
【０１０６】
本表示装置の梱包構造は、平面型の表示パネルを有する薄型の表示装置の梱包に利用できる。
【符号の説明】
【０１０７】
１０…左端緩衝材
２０…右端緩衝材
３０…中央緩衝材
３１…支持部
３７…係合凸部（第２係合部）
４０…左端緩衝材
５０…右端緩衝材
６０…中央緩衝材
６１…支持部
６７…係合凸部（第２係合部）
６９…係合凹部（第１係合部）
７０…支持枠（支持部材）
７０Ａ…第１の支持枠（第１の支持部材）
７０Ｂ…第２の支持枠（第２の支持部材）
７２Ａ…第１の面
７２Ｂ…第２の面
７５Ａ，７５Ｂ，７５Ｃ，７５Ｄ…突起部
７６…水平部
７７…垂直部
７８…案内部
７９Ａ…係合凹部（第１係合部）
７９Ｂ…係合凹部（第１係合部）
９０…梱包箱
１００…表示装置
１１０…表示パネル
１２０…外装ケース
Ｇ…空隙
【図１】
0006508522.tif 000002
【図２】
0006508522.tif 000003
【図３】
0006508522.tif 000004
【図４】
0006508522.tif 000005
【図５】
0006508522.tif 000006
【図６】
0006508522.tif 000007
【図７】
0006508522.tif 000008
【図８】
0006508522.tif 000009
【図９】
0006508522.tif 000010
【図１０】
0006508522.tif 000011
【図１１】
0006508522.tif 000012
【図１２】
0006508522.tif 000013
【図１３】
0006508522.tif 000014
【図１４】
0006508522.tif 000015
【図１５】
0006508522.tif 000016
【図１６】
0006508522.tif 000017